(57)【要約】【課題】複数の装飾パネルからなる壁面装飾板をパネル材質によらず効率よく設置できる設置構造を提供することである。【解決手段】壁面装飾板１を形成する複数の装飾パネル２をそれぞれ化粧板４と裏板５とを接合したものとし、この裏板５の形状を、化粧板４周縁から張り出す張出部５ａを有し、かつ隣接するパネル２の裏板張出部５ａと干渉しないものとして、各装飾パネル２がその裏板５の張出部５ａを釘等の固定具で壁面Ｗに固定されると同時に、化粧板４で隣接する位置に固定した装飾パネル２の裏板５の張出部５ａを覆うようにし、壁面装飾板１の周縁部に位置する裏板５の張出部５ａは枠材３で覆うことにより、壁面装飾板１の設置を、化粧板４の材質によらず簡単に、かつ装飾性を損なうことなく行えるようにしたのである。【選択図】図１
2006183254.tif 000002
【特許請求の範囲】
【請求項１】
複数の装飾パネルからなる壁面装飾板を壁面に設置する壁面装飾板設置構造において、前記各装飾パネルを化粧板と裏板とを接合したものとし、この裏板の形状を、化粧板周縁から張り出す張出部を少なくとも一つ有し、かつ隣接する装飾パネルの裏板の張出部と干渉しないものとして、前記各装飾パネルが前記裏板の張出部を固定具で壁面に固定されると同時に、前記化粧板で隣接する位置に固定した装飾パネルの裏板の張出部を覆うようにしたことを特徴とする壁面装飾板設置構造。
【請求項２】
前記化粧板の形状が多角形であり、前記裏板の張出部を化粧板の各辺から張り出すように形成したことを特徴とする請求項１に記載の壁面装飾板設置構造。
【請求項３】
前記壁面装飾板の周縁部に位置する裏板の張出部は、壁面装飾板の周囲を囲む枠材で覆うようにしたことを特徴とする請求項１または２に記載の壁面装飾板設置構造。
【請求項４】
前記枠材を複数の枠部材に分割して、そのうちの一部の枠部材を裏面側に裏板が接合されたものとし、この裏板の形状を、前記装飾パネルの裏板と干渉しないように枠部材の内縁から張り出す張出部を有するものとして、これらの一部の枠部材を前記装飾パネルに先立って壁面に取り付ける際に、その裏板の張出部を固定具で固定できるようにしたことを特徴とする請求項３に記載の壁面装飾板設置構造。
【発明の詳細な説明】
【技術分野】
【０００１】
本発明は、複数の装飾パネルからなる壁面装飾板の壁面への設置構造に関する。
【背景技術】
【０００２】
複数の装飾パネルからなる壁面装飾板は、店舗や病院、一般家庭等の建屋内の壁面装飾として、腰壁のように壁面の下部全体に設けたり、書画の額のように壁面に取り付けたりすることが多い。この壁面装飾板の壁面への設置は、一般に、装飾パネルを１枚ずつ壁面に釘等の固定具で固定したり、接着剤で接着することにより行われている（特許文献１参照。）。
【０００３】
しかしながら、上記壁面装飾板の設置方法において、装飾パネルを釘等の固定具で固定する方法は、人造大理石等の硬質パネルには行えないし、軟質のパネルに対して実施した場合も、設置後のパネル表面に釘等の固定具の頭部が残り、装飾性の面で難点がある。このため、通常は、接着剤で装飾パネルを壁面に接着することが多いが、この場合は、設置現場での接着剤の塗布に手間がかかるし、接着剤を乾燥させるための養生時間を必要とし、作業効率が悪いという問題がある。
【特許文献１】特開２００４−２５７０９４号公報（第３頁、３６〜３７行）
【発明の開示】
【発明が解決しようとする課題】
【０００４】
本発明の課題は、複数の装飾パネルからなる壁面装飾板をパネル材質によらず効率よく設置できる設置構造を提供することである。
【課題を解決するための手段】
【０００５】
上記の課題を解決するために、本発明は、複数の装飾パネルからなる壁面装飾板を壁面に設置する壁面装飾板設置構造において、前記各装飾パネルを化粧板と裏板とを接合したものとし、この裏板の形状を、化粧板周縁から張り出す張出部を少なくとも一つ有し、かつ隣接する装飾パネルの裏板の張出部と干渉しないものとして、前記各装飾パネルが前記裏板の張出部を固定具で壁面に固定されると同時に、前記化粧板で隣接する位置に固定した装飾パネルの裏板の張出部を覆う構成を採用した。
【０００６】
すなわち、各装飾パネルを化粧板と裏板とを接合したものとし、各装飾パネルがその化粧板周縁から張り出す裏板張出部を釘等の固定具で壁面に固定されるようにするとともに、固定した装飾パネルの裏板の張出部は、隣接する位置に固定されるパネルの化粧板で覆うことにより、壁面装飾板の設置を、化粧板の材質によらず簡単に、かつ装飾性を損なうことなく行えるようにしたのである。
【０００７】
前記化粧板の形状が多角形である場合には、前記裏板の張出部を化粧板の各辺から張り出すように形成すれば、装飾パネルを壁面に固定する際に、その裏板の張出部の少なくとも一つを既に固定したパネルの化粧板と壁面の間に差し込んだ状態で他の張出部を固定具で固定することにより、パネルの固定作業がしやすくなるとともに、設置後のパネルの反りや浮き上がりを防止できるし、パネルが壁面から剥がれ難くなる。さらに、複数の張出部を固定することにより、パネルの壁面との接合強度を高めることができる。
【０００８】
また、前記壁面装飾板の周縁部に位置する裏板の張出部は、壁面装飾板の周囲を囲む枠材で覆うようにするとよい。
【０００９】
前記枠材を複数の枠部材に分割して、そのうちの一部の枠部材を裏面側に裏板が接合されたものとし、この裏板の形状を、前記装飾パネルの裏板と干渉しないように枠部材の内縁から張り出す張出部を有するものとして、これらの一部の枠部材を前記装飾パネルに先立って壁面に取り付ける際に、その裏板の張出部を固定具で固定できるようにすれば、設置作業をさらに効率よく行うことができる。
【発明の効果】
【００１０】
本発明の壁面装飾板設置構造は、上述したように、壁面装飾板を形成する複数の装飾パネルをそれぞれ化粧板と裏板とを接合したものとし、その裏板の張出部を釘等の固定具で壁面に固定できるようにするとともに、固定した裏板の張出部が装飾板設置後に露出しないようにしたものであるから、壁面装飾板の設置を、化粧板の材質によらず簡単に、かつ装飾性を損なうことなく行うことができる。従って、硬質の化粧板を用いた壁面装飾板も、パネルを壁面に接着する従来の構造に比べて、はるかに効率よく設置することができる。
【発明を実施するための最良の形態】
【００１１】
以下、図面に基づき、この発明の実施形態を説明する。図１は、第１の実施形態の設置構造により設置した壁面装飾板１を示す。この壁面装飾板１は、腰壁のように壁面Ｗの下部を覆うもので、上下方向に３段に並べられた複数の装飾パネル２からなり、その周囲を枠材３で囲まれている。
【００１２】
前記各装飾パネル２は、図２にも示すように、人造大理石で正方形に形成された化粧板４と、木材で形成された裏板５とを接着剤で接着したものである。また、裏板５は、化粧板４の各辺から張り出す張出部５ａを有し、化粧板４どうしを密着させて並べても隣接するパネル２の裏板５の張出部５ａと干渉しない形状に形成されている。
【００１３】
従って、各装飾パネル２を壁面Ｗに固定するときは、その裏板５の四つの張出部５ａのいずれかに固定具としての釘を打つことができ、同時に、化粧板４で隣接する位置に固定したパネル２の裏板５の張出部５ａを覆うことができる。なお、張出部５ａを固定する固定具としては、釘以外にも、タッカー釘やビス等を用いることができる。
【００１４】
また、前記枠材３は、図１に示したように、両側の側枠６、７と、それぞれ５分割された上枠８および下枠９とからなり、これらの各枠部材で壁面装飾板１の周縁部に位置する裏板５の張出部５ａを覆っている。
【００１５】
前記各枠部材のうち、右側枠６は、裏面に形成された段差から内側の薄肉部６ａと壁面Ｗとの間にパネル裏板５の張出部５ａを挟み込んだ状態で、外側の厚肉部６ｂで壁面Ｗに接着される。
【００１６】
一方、左側枠７、上枠８および下枠９は、それぞれの裏面側に装飾パネル２の裏板５と同じ材質および厚さの裏板１０、１１、１２が接着されている。各裏板１０、１１、１２は、それぞれ枠部材の内縁から張り出す複数の張出部１０ａ、１１ａ、１２ａを有し、かつ壁面装飾板１の周縁部に配された装飾パネル２の裏板５と干渉しない形状に形成されている。従って、これらの枠部材のうちの一つまたは隣り合う２つを装飾パネル２に先立って壁面Ｗに取り付ける際に、その裏板の張出部を釘で固定することができる。残りの枠部材は、すべての装飾パネル２の固定完了後に壁面Ｗに接着される。
【００１７】
また、左側枠７および上枠８は、外縁部に裏面側へ裏板１０、１１の厚み分だけ突出するカバー部７ａ、８ａを有し、設置後にその左側方および上方から裏板１０、１１が見えないようになっている。なお、下枠９は、外縁部が床面に接触するので、このようなカバー部は必要ない。
【００１８】
次に、この壁面装飾板１の設置手順の一例を、図３および図４に基づいて説明する。なお、装飾パネル２および右側枠６を除く各枠部材７、８、９は、製造時に裏板５、１０、１１、１２を接着されており、設置現場で接着作業を行うことはない。
【００１９】
まず、図３（ａ）に示すように、下枠９を壁面Ｗの所定の位置にセットし、裏板１２の張出部１２ａに釘を２箇所ずつ打って固定する。なお、図３には５分割された下枠９の左端の枠片のみを示しているが、他の枠片についても同様に固定する。
【００２０】
下枠９固定後は、図３（ｂ）にも示すように、装飾パネル２を、下段の左端のものから順に壁面Ｗに固定していく。下段の１枚目の装飾パネル２の固定は、その下辺の裏板張出部５ａを下枠９の裏面側に差し込み、下枠９の裏板張出部１２ａの一つを覆った状態で、上辺および右側辺の裏板張出部５ａを釘で壁面Ｗに固定する。また、２枚目以降のパネル２は、下辺および左側辺の裏板張出部５ａを下枠９および隣接する位置に固定したパネル２の裏面側に差し込み、下枠９の裏板張出部１２ａおよび隣接するパネル２の右側辺の裏板張出部５ａを覆った状態で、１枚目と同様に固定する。
【００２１】
そして、図４に示すように、中段および上段の装飾パネル２を下段と同様に壁面Ｗに固定した後、左側枠７および上枠８を固定する。これらの両枠部材の固定は、それぞれの裏板１０、１１の裏面に接着剤を塗布して、裏板張出部１０ａ、１１ａを左端および上段のパネル２の裏面側に差し込み、これらのパネル２の裏板張出部５ａを覆った状態で壁面Ｗに接着する。最後に、右側枠６を、右端のパネル２の右側辺の裏板張出部５ａを覆うように壁面Ｗに接着する。
【００２２】
この壁面装飾板設置構造は、上述したように、装飾パネル２および下枠９をそれぞれの裏板５、１２の張出部５ａ、１２ａに釘を打って壁面Ｗに固定できるようにするとともに、固定した裏板張出部５ａ、１２ａが装飾板１設置後に露出しないようにしたので、壁面装飾板１を従来よりもはるかに効率よく、かつ装飾性を損なうことなく設置することができる。また、装飾パネル２を固定する際には、裏板張出部５ａの一つまたは二つを既に固定した下枠９またはパネル２の裏面側に差し込んで、残りの裏板張出部５ａのうちの二つに釘を打つようにしたので、作業がしやすいし、設置後のパネル２の反りや浮き上がりがなく、パネル２の壁面Ｗとの接合強度も高い。
【００２３】
なお、この実施形態では、装飾パネル２に先立って下枠９を壁面Ｗに固定したが、左側枠７を同時に固定しておくこともできる。また、右側枠６は左側枠７と同じ形状の裏板付きのものとすることもでき、その場合には、隣り合う２つの枠部材を最初に固定しておくことができる。
【００２４】
図５および図６は、第２の実施形態を示す。図５に示すように、この実施形態の設置構造により設置した壁面装飾板１３は、コーナを含む壁面Ｗの中央部に第１の実施形態と同じ複数の装飾パネル２を３段に並べたもので、その周囲を枠材１４で囲まれ、コーナ部をＬ字形に突き合わせた２枚のコーナ板１５で覆われている。
【００２５】
また、図６に示すように、枠材１４およびコーナ板１５は、それぞれ裏面側に矩形または台形の裏板１６、１７が接着されており、これらの裏板１６、１７を正面以外の方向からも見えないように覆うカバー部材１８が取り付けられている。その他の部分の構成は、第１の実施形態と同じである。また、壁面装飾板１３の設置手順も、コーナ板１５を装飾パネル２固定前に釘で固定するか、またはパネル２固定後に接着すること以外は、第１の実施形態と同じである。なお、図６は、壁面装飾板１３のパネル枚数が多い面を示しているが、パネル枚数が少ない面も同じ構造および手順で設置されている。
【００２６】
上述した各実施形態では、壁面装飾板の周縁部に位置する裏板の張出部を枠材で覆うようにしたが、壁面装飾板の周囲の一部または全部に枠材を取り付けない場合には、枠材と接しない位置の装飾パネルのみ、裏板の張出部を切断して、接着等の従来の方法で壁面に固定すればよい。また、装飾パネルの化粧板の形状は正方形としたが、正方形以外の多角形でも、また円形等の形状の異なるものが混在する場合でも、化粧板を隣接するものと隙間なく並べられれば、本発明を有効に適用することができる。
【００２７】
また、本発明は、装飾パネルの化粧板の材質が各実施形態のように硬質のものである場合に限らず、合成樹脂等の軟質のものの場合にも適用できる。なお、軟質の化粧板に直接釘等を打つ場合に比べると、設置作業の効率はほぼ同じであるが、設置後に釘等の頭部が見えなくなる分だけ装飾性を向上させることができる。
【図面の簡単な説明】
【００２８】
【図１】第１の実施形態の設置構造により設置した壁面装飾板の正面図
【図２】図１の装飾板を形成するパネルを裏面側から見た斜視図
【図３】ａ、ｂは、それぞれ図１の装飾板の設置手順の前半部分を説明する斜視図
【図４】図１の装飾板の設置手順の後半部分を説明する斜視図
【図５】第２の実施形態の設置構造により設置した壁面装飾板の斜視図
【図６】図５の装飾板のパネル枚数が多い面の正面図
【符号の説明】
【００２９】
１  壁面装飾板
２  装飾パネル
３  枠材
４  化粧板
５  裏板
５ａ  張出部
６、７  側枠
８  上枠
９  下枠
１０、１１、１２  裏板
１０ａ、１１ａ、１２ａ  張出部
１３  壁面装飾板
１４  枠材
１５  コーナ板
１６、１７  裏板
１８  カバー部材
Ｗ  壁面
【図１】
2006183254.tif 000003
【図２】
2006183254.tif 000004
【図３】
2006183254.tif 000005
【図４】
2006183254.tif 000006
【図５】
2006183254.tif 000007
【図６】
2006183254.tif 000008